(57)【要約】【課題】電子黒板等の書込み装置において、ハンドイレーサのクリーニングを面倒なく、しかも簡単かつ小型な構成で、コストアップとなることなく可能とする。【解決手段】カス受け２６の片端部下面に取り付けるフック部材４０にフック部４１を掛け止め、カス受け２６に隣接するようにしてカス回収トレイ４２を前後に着脱自在に取り付ける。カス回収トレイは、上面が開放する箱形状で、その片側側壁外面にフック部を形成し、前壁前面に取っ手４５を設ける。内部には、クリーニング部材４６を取り付ける。クリーニング部材は、ワイヤをコの字型に折り曲げてつくり、その両端を下方に向けて、カス回収トレイ４２の前後壁で保持する。そして、ハンドイレーサ２８の拭き取り面２９をクリーニング部材４６に押し当てて擦り付けるようにして移動し、擦り落とした消しカス５０をカス回収トレイ４２内に回収する。【選択図】　　　　図６
2004025469.tif 000002
【特許請求の範囲】
【請求項１】
筆記具を用いて書込みを行うとともに、その書込み内容をハンドイレーサを用いて消去可能とする書込み面を設け、その書込み面の下方にカス受けを備える書込み装置において、
前記ハンドイレーサを押し当ててそれに付着する消しカスを擦り落とすクリーニング部材を、そのクリーニング部材で擦り落とした消しカスを回収するカス回収トレイ内に設けることを特徴とする、書込み装置。
【請求項２】
前記クリーニング部材としてワイヤを用いることを特徴とする、請求項１に記載の書込み装置。
【請求項３】
前記カス回収トレイを着脱自在に備えることを特徴とする、請求項１または２に記載の書込み装置。
【請求項４】
前記カス受け上のカスを前記カス回収トレイ上に掃き落とすことができるように、前記カス回収トレイを前記カス受けに隣接して設け、そのカス受けの高さより前記カス回収トレイの高さを低くすることを特徴とする、請求項１、２または３に記載の書込み装置。
【発明の詳細な説明】
【０００１】
【発明の属する技術分野】
この発明は、黒板、電子黒板、ホワイトボード、プレゼンテーションボード、掲示板、伝言板などの書込み装置に関する。詳しくは、板面やスクリーン面等の書込み面に筆記具を用いて書込みを行うとともに、その書込み内容をハンドイレーサを用いて消去可能とする書込み装置に関する。
【０００２】
【従来の技術】
従来、この種の書込み装置の中で、例えば図７および図８に示すような電子黒板では、書込み面１に、チョークやマーカ等の筆記具２を用いて、文字や絵などの書込みを行う一方、その書込み内容を、いわゆる黒板消しのようなハンドイレーサ３を用いて掻き消し消去する。
【０００３】
ところが、書込み面１上の書込み内容を消去するうちに、徐々にハンドイレーサ３に消しカスが付着堆積し、漸次ハンドイレーサ３に消しカスが付着しにくくなってやがて消去性能が劣化するとともに、ハンドイレーサ３から消しカス飛散を生ずる問題があった。
【０００４】
このような問題を解決すべく、従来、ハンドイレーサ３に消しカスが付着堆積したときは、棒などで叩いてハンドイレーサ３に付着堆積した消しカスを叩き落としていた。しかし、この方法によると、まわりに消しカスが飛散して床等を汚すおそれがあることから、大きなカス受けを準備しなければならなかったり、わざわざ戸外に出て行わなければならなかったりする面倒があった。
【０００５】
このため、従来の書込み装置の中には、例えば特開平９−１０９５９２号公報に記載されるように、ペントレイにカス落し台を設け、そのカス落し台でハンドイレーサを叩いたり擦ったりして消しカスを落し、その落とした消しカスを掃除機のファンを駆動して吸引し、連通管を通して回収タンク内に吸い込んでその中に回収するものがある。
【０００６】
また、例えば特開平１１−４２１９９号公報に記載されるように、書込み装置とは別個にハンドイレーサ用の電気掃除機を用意し、その電気掃除機の反射型光センサでハンドイレーサの汚れ具合を検知しながら、その汚れ具合に応じて同様にファンを駆動して消しカスを吸い込んで回収するものがある。
【０００７】
【発明が解決しようとする課題】
しかしながら、このような従来のやり方では、装置が大掛かりとなり、大型化するとともに、コストアップとなる問題があった。
【０００８】
そこで、この発明の第１の目的は、電子黒板等の書込み装置において、ハンドイレーサのクリーニングを、面倒なく、安全であり、しかも簡単かつ小型な構成で、コストアップとなることなく可能とすることにある。
【０００９】
この発明の第２の目的は、一層、簡単かつ小型な構成で、コストアップとなることなく、ハンドイレーサのクリーニングを可能とすることにある。
【００１０】
この発明の第３の目的は、消しカスを回収するカス回収トレイをいつでも簡単に取り外して清掃可能とすることにある。
【００１１】
ところで、黒板、電子黒板などの書込み装置では、例えば図７および図８に示すように、使用時や使用後に、書込み面１上の、文字や絵等の書込み内容をハンドイレーサ３で消去するとき、チョークやマーカなどの筆記具２の消しカスが発生し、落下して使用者の足元を汚すおそれがある。このため、この種の書込み装置では、通常、書込み面１の下方にひさし状に突出してカス受け４を備え、消しカスが飛散落下することを防止している。
【００１２】
この発明の第４の目的は、そのようなカス受け上のカスをいつでも簡単に清掃可能とすることにある。
【００１３】
【課題を解決するための手段】
そのため、請求項１に記載の発明は、上述した第１の目的を達成すべく、
筆記具を用いて書込みを行うとともに、その書込み内容をハンドイレーサを用いて消去可能とする書込み面を設け、その書込み面の下方にカス受けを備える書込み装置において、
ハンドイレーサを押し当ててそれに付着する消しカスを擦り落とすクリーニング部材を、そのクリーニング部材で擦り落とした消しカスを回収するガス回収トレイ内に設ける、ことを特徴とする。
【００１４】
請求項２に記載のものは、上述した第２の目的を達成すべく、請求項１に記載の書込み装置において、クリーニング部材としてワイヤを用いる、ことを特徴とする。
【００１５】
請求項３に記載のものは、上述した第３の目的を達成すべく、請求項１または２に記載の書込み装置において、カス回収トレイを着脱自在に備える、ことを特徴とする。
【００１６】
請求項４に記載のものは、上述した第４の目的を達成すべく、請求項１、２または３に記載の書込み装置において、カス受け上のカスをカス回収トレイ上に掃き落とすことができるように、カス回収トレイをカス受けに隣接して設け、そのカス受けの高さよりカス回収トレイの高さを低くする、ことを特徴とする。
【００１７】
【発明の実施の形態】
以下、図面を参照しつつ、この発明の実施の形態につき説明する。
図１には、この発明による書込み装置の一例である電子黒板を示す。図２には、その電子黒板本体の概略横断面を示す。
【００１８】
図中符号１０は、スタンド１１で支持する電子黒板本体である。電子黒板本体１０には、正面に大きな窓１２を有する偏平箱形状のケース１３を設ける。図２に示すように、ケース１３内には、左右両端に縦方向に互いに平行に駆動ローラ１５と従動ローラ１４を設け、それらの間に掛け回してエンドレスのスクリーン１６を張り渡し、ボード１７を裏当てする部分を窓１２から外方に臨ませて、図１に示すようにそこに書込み面１８を形成する。
【００１９】
そして、不図示の駆動モータで駆動ローラ１５を回転すると、従動ローラ１４を従動回転しながら、スクリーン１６を図２中矢印ａ方向に搬送し得るようになっている。
【００２０】
ケース１３内のスクリーン１６の背面側には、画像読取装置２０を配置する。画像読取装置２０は、スクリーン１６面上を照射する光源２１と、スクリーン１６からの反射光を反射するミラー２２と、そのミラー２２の反射光を透過して結像するレンズ２３と、光信号を電気信号に変換するＣＣＤ２４よりなる。
【００２１】
そのような電子黒板本体１０の書込み面１８の下方には、ケース１３の下縁に沿って左右に細長なカス受け２６をひさし状に突出して上向きに備える。このカス受け２６上には、また、マーカ等の筆記具２７や、いわゆる黒板消しであるハンドイレーサ２８などを載せるようにするとよい。
【００２２】
カス受け２６の左右中央下には、スタンド１１に取り付けて操作ボックス３０を設ける。スタンド１１には、垂直方向にのびる左右の脚３１・３２と、それらの下端からそれぞれ前後方向にのびる平行な左右の足３３・３４と、それらを連結する連結竿３５とで構成し、足３３・３４の前後にはスタンド１１を移動自在に各々キャスタ３６を取り付けている。また、一方の脚３２の内側には、支持アーム３７を介してプリンタ３８を取り付ける。
【００２３】
ところで、この発明では、図３に示すように、カス受け２６の片端部下面にフック部材４０をねじ止めする。このフック部材４０には、フック部４１を掛け止め、カス受け２６に隣接するようにしてカス回収トレイ４２を前後に着脱自在に取り付ける。
【００２４】
カス回収トレイ４２は、例えば図４に示すように、上面が開放する箱形状で、その片側側壁４３外面に上述のフック部４１を形成し、前壁４４前面に取っ手４５を設ける。そして、内部には、クリーニング部材４６を取り付ける。クリーニング部材４６は、図示例では、金属製のワイヤをコの字型に折り曲げてつくり、その両端を下方に向けて突部４７の垂直穴に差し込んで保持する。突部４７は、カス回収トレイ４２の前壁４４と後壁４８の各々の内面に設ける。
【００２５】
いま、この電子黒板を使用するときは、筆記具２７を持って書込み面１８に、文字や絵などを書込む。書込み内容を消去したいときは、ハンドイレーサ２８を手で持って掻き消す。
【００２６】
書込み面１８が書込み内容でいっぱいになったときは、操作ボックス３０の送りボタンを操作して不図示の駆動モータを駆動し、スクリーン１６を搬送して新しい書込み面を窓１２内に送り出し、そこに書込みを行う。
【００２７】
書込み面１８上の書込み内容を印刷したいときは、操作ボックス３０の印刷ボタンを押し、スクリーン１６を搬送しながら画像読取装置２０で書込み内容を読み取り、プリンタ３８で印刷して出力する。
【００２８】
そして、使用により、図５に示すように、ハンドイレーサ２８に消しカス５０が付着堆積し、消去性能が劣化してきたときは、図６に示すように、ハンドイレーサ２８の例えば布製の拭き取り面２９をクリーニング部材４６に押し当てて擦り付けるようにして図中矢示方向に移動し、擦り落とした消しカス５０をカス回収トレイ４２内に回収する。
【００２９】
このとき、ハンドイレーサ２８の長さＬよりカス回収トレイ４２の長さＭを十分に大きくしておくと、消しカス５０をまわりに飛散することなく確実に回収することができる。
【００３０】
そして、カス回収トレイ４２内が消しカス５０でいっぱいになったときは、取っ手４５を持ってカス回収トレイ４２を手前に引き出し、溜まったカスを廃棄して洗浄するなどして再びフック部材４０にフック部４１を掛けて押し込んで取り付ける。
【００３１】
なお、上述した図示例では、クリーニング部材４６を金属製のワイヤでつくったが、ワイヤに限らず、例えばブレード状のものとしてもよい。その向きは、書込み面１８に直交する場合に限らず、書込み面１８と平行となるように設けてもよい。
【００３２】
また、図示例では、カス受け２６上の消しカスをカス回収トレイ４２上に掃き落とすことができるように、カス受け２６の高さよりカス回収トレイ４２の高さを一段低くしている。
【００３３】
さらに、上述した例では、カス回収トレイ４２をカス受け２６の片端に設けるが、両端に設けるようにしてもよいことはいうまでもない。
【００３４】
【発明の効果】
以上説明したように、この発明によれば、ハンドイレーサを押し当ててそれに付着する消しカスを擦り落とすクリーニング部材を設けるので、面倒なく、しかも簡単かつ小型な構成で、コストアップとなることなく、ハンドイレーサのクリーニングを可能とすることができる。また、クリーニング部材で擦り落とした消しカスをカス回収トレイ内に回収するので、擦り落とした消しカスがまわりに飛散するおそれをなくすことができる。
【００３５】
請求項２に記載の発明によれば、クリーニング部材としてワイヤを用いるので、一層、簡単かつ小型な構成で、コストアップとなることなく、ハンドイレーサのクリーニングを可能とすることができる。また、ワイヤは、安価であり、例えばブレードなどに比し、触れた場合にも怪我をするおそれがなく、安全性が高い利点がある。
【００３６】
請求項３に記載の発明によれば、カス回収トレイを着脱自在に備えるので、カス回収トレイをいつでも簡単に取り外して手間なく清掃することができる。
【００３７】
請求項４に記載の発明によれば、カス受け上のカスをカス回収トレイ上に掃き落とすことができるように、カス回収トレイをカス受けに隣接して設け、そのカス受けの高さよりカス回収トレイの高さを低くするので、書込み面の下方に備えるカス受け上のカスをカス回収トレイ上に掃き落としていつでも簡単にカス受け上を清掃することができる。
【図面の簡単な説明】
【図１】この発明による書込み装置の一例である電子黒板の斜視図である。
【図２】その電子黒板本体の概略横断面図である。
【図３】そのカス回収トレイ部分の拡大正面図である。
【図４】そのカス回収トレイの斜視図である。
【図５】図１の書込み装置で用いるハンドイレーサに消しカスが付着堆積した状態の正面図である。
【図６】消しカスが付着堆積したハンドイレーサのクリーニング状態を示す説明図である。
【図７】従来の電子黒板の正面図である。
【図８】その側面図である。
【符号の説明】
１０　　電子黒板本体
１１　　スタンド
１８　　書込み面
２６　　カス受け
２７　　筆記具
２８　　ハンドイレーサ
４２　　カス回収トレイ
４６　　クリーニング部材
５０　　消しカス
【図１】
2004025469.tif 000003
【図２】
2004025469.tif 000004
【図３】
2004025469.tif 000005
【図４】
2004025469.tif 000006
【図５】
2004025469.tif 000007
【図６】
2004025469.tif 000008
【図７】
2004025469.tif 000009
【図８】
2004025469.tif 000010